(57)【要約】【課題】孤独死を迎えざるを得ない老人や弱者たちが倒れて緊急状態であることを外部に知らしめるために、一定時間動きの無いことに反応する警報が必要になる。また、廉価に製作可能で各該当住宅に設置しうる必要がある。孤独死の発見不能は、亡骸のミイラ化や虫が湧いて死臭がこびりつく現象を招く。その結果不動産の価値が極端に下落し、遺族や家主にとって多大なる損失を発生させる。【解決手段】動きの無いことによる警報を、ふいご５に圧力を加えふいご５内の空気を弁４から一気に追い出し、ピンホール３より外部の空気を微量ずつ取り込むことによって遅延するスイッチを可能にさせ、異常の無い生活者が必ず行動するであろう行動様式にこの警報機を組み込む。トイレのドアの蝶番部分にこの突起１を設置し、警報機の末端にブザー８や回転灯９を取り付け、外部に設置する。【選択図】図１
2012150773.tif 000002
【特許請求の範囲】
【請求項１】
弁を備え、極小ピンホールの開けられた、形状復元可能なふいごに、圧を加えてふいご内の空気を弁から押し出した後、ピンホールから少しずつ外部の空気が陰圧状態のふいご内に取り込まれることによって、ふいごの先端に取り付けた金属部が時間差をもって接点に触れ通電することを特徴とする警報機。
【請求項２】
請求項１記載のふいごの先端が、ドアの動きに合わせて弧を描きながら収縮または膨張することを可能にする、回転可能な回転バーを装着したふいごを特徴とする警報機。
【発明の詳細な説明】
【技術分野】
【０００１】  本発明は、一人住まいの老人が昏倒することによって救助されることもなく死に至る問題を解消させるための、動きが無いことに反応する警報機に関する。
【背景技術】
【０００２】  電子技術を利用した警報装置が存在していた。また異常を関係者へ自動送信できる装置が存在していた。【０００３】  一例として、一人住まいの老人による電気ポットの使用状況から異常を察知し、管理センターを通して一人住まいの老人の関係者に連絡を取るシステムがあるが、老人によっては電気代の節約からポットをほとんど使わないケースもあり、正確な異常検知に支障を来たしている。【０００４】  また、本来昏倒した一人住まいの老人を救うはずの関係者が存在しないばかりか、関係を拒否するケースも多く、連絡先そのものが存在せず、孤独に暮らす老人はこの電気ポットを利用するシステムから排除されていた。【０００５】  緊急警報スイッチを家屋内の決められた場所に準備することによって、一人住まいの老人が昏倒した際に、自らがスイッチを入れて外部のブザーや回転灯を作動させ、外部の住人に緊急を知らせるものがあった。【０００６】  これまで地域の協力による老人同士の決まりごとを作り、一人住まいの老人が元気なときには黄色い旗や造花を通りから見える場所に朝一番で個々に掲げるといった互助ルールを作っている地域が存在しており、黄色い旗や造花が掲げられていない場合には、その家屋内で異常が発生したことを周りの住民が認知し、緊急通報をしていた。【０００７】  また、一人住まいの老人に、発信機を内蔵させたペンダントやブレスレットなどの装飾品を身につけさせ、異常時には警報を外部に発信させる廉価な方法を講じたものも存在している。【０００８】  トイレ使用時にトイレという特殊空間だけに限定された通報システムというものも存在していた。【０００９】  エアーマットにおける圧力センサーを利用して老人の健康動向を判断するシステムも存在した。
【先行技術文献】
【特許文献】
【００１０】
【特許文献１】特開２０１０−１６５３２８号公報
【特許文献２】特開２００９−２１７７８６号公報
【発明の概要】
【発明が解決しようとする課題】
【００１１】  しかしながら、かかる状況における警報機は、孤独死を迎えざるを得ない老人や一人暮らしの弱者たちが倒れて危篤状態であることを外部に知らしめる際に、誰もが利用できる廉価な対象でなければならないにもかかわらず、電子技術や自動送信技術を駆使しているために高価であった。また製造のために多種多数の電子部品が必要になり、その結果、故障率が上がる欠点があった。【００１２】  かつ維持費も月々かかることから、小額の年金受給者、無年金者そして仕事の無い一人住まいの若者にとっては不向きである。病院やサナトリウムにおいては高度な電子技術で患者を管理できるシステムは存在しているが、年金暮らしの一人住まいの老人や無年金の老人はそれらに入所することすら不可能であった。【００１３】  仕事をリタイヤした一人暮らしの老人は生活リズムが狂いやすく、生活リズムの異常をベースとして運用させる警報機に関しては誤作動が起きやすかった。【００１４】  また、昏倒という不測の事態に襲われた一人住まいの老人が警報を発信できれば問題はないのであるが、その状況下の老人はまったく意識がなく、異常を発信することは、例えすぐ近くにスイッチがあったとしても不可能であった。【００１５】  脳溢血や心臓発作などによって昏倒が起きた場合には、緊急警報スイッチの場所も存在もわからなくなるため、スイッチそのものを押すことができず、不幸な結果になることが多かった。【００１６】  また互助ルールに関しては、それぞれの人生観から、老後の人付き合いを面倒に感じている老人も多く、なかなかルールを徹底させることは難しく、老人が散在している場所では互助ルールを実践することすら不可能だった。【００１７】  さらに、もともと痴呆症にかかっている老人の場合には、これらのルールを守り続けることは不可能であり、よしんば痴呆症とは無縁であったとしても旗や造花を出し入れする行為そのものをうっかり忘れてしまう場合もあって、なかなか徹底されることはなかった。【００１８】  痴呆症の有無に係わらず、老人は忘れっぽくなるものであり、入浴するたびに発信機を内蔵した装飾品を身につける保証もなく、また何よりも老人自身に死が訪れることを他人事と捉える傾向があり的確な警報として実践することは難しかった。【００１９】  トイレ空間は室温が低かったり力んだりすることが原因で、老人が倒れやすい空間であることは否定できないが、昏倒原因のすべてではありえず、浴室やリビングなどあらゆる場所で昏倒は考えられている。【００２０】  エアーマットによる生存兆候検知に関しても、それを老人の居住空間すべてで行おうとすると多額の費用が発生し、一般の使用に困難を生ずる。
【課題を解決するための手段】
【００２１】  そこで本発明である動きが無いことに反応する警報機は、弁４を備え、極小ピンホール３の開けられた、形状復元可能なふいご５に、圧を加えてふいご５内の空気を弁４から押し出した後、ピンホール３から少しずつ外部の空気が陰圧状態のふいご内に取り込まれることによって、ふいご５の形状が復元し、ふいご５の先端に取り付けた金属部７が時間差をもって接点６に触れ通電することを特徴とする。【００２２】  ふいご５の先端が、ドアの動きに合わせて弧を描きながら収縮膨張することを可能にする、回転可能な回転バー２を装着したふいご５を活用することによって上記課題を解決することを特徴とする。
【発明の効果】
【００２３】  本発明は電子技術の方法を採らないため、電子部品は一切使用せず、その結果故障率はかなり低く、廉価で製造販売が可能であり、設置も容易である。【００２４】  また本発明は異常が発生したときのみ通電する仕組みを持っているため、日頃は一切の電力を必要とせず、したがって長期に渡ってバッテリー１０交換が不要である。【００２５】  また、本発明による警報機はふいご５に開けた極小ピンホール３の大きさを調節することによって、一人住まいの老人の昏倒という事故発生時から、ブザー８や回転灯９を機能させるまでの時間を調節することができる。【００２６】  本発明による警報機は取り付けが容易であり、屋内を改造する必要もなく、ふいご５は少量の力で縮むことからトイレドアの開閉時、ドアが重くなる心配もなく、老人の使用に問題は生じない。【００２７】  本発明による警報機はマイクやカメラを使用していないため、一人住まいの老人のプライバシーを侵害することはない。【００２８】  本発明による警報機は、一人住まいの老人に異常がある場合、トイレに老人が行けないことを前提としており、故にすべての部屋や浴室に設置する必要もなく、一家に一台で事足り、従って廉価にて実戦可能であり、設置も容易である。【００２９】  本発明による警報機は、異常が発生した際にこのスイッチを押さなくてはという義務の履行を老人に要求しない。
【図面の簡単な説明】
【００３０】
【図１】本発明の実施形態を示す斜視図である。
【図２】Ａ  ドアを一人住まいの老人が開け、トイレを使用しドアを閉じた状態を表す平面図である。Ｂ  仮に２４時間仕様にした場合の、回転バーが接点に近づく状態を表す平面図である。Ｃ  トイレ使用のため、少しドアが開けられる状態を表す平面図である。Ｄ  ドアがさらに開かれ、突起１がふいご５に圧を加え始める状態を表す平面図である。Ｅ  ドアが閉じられ始める。ふいご５が一番縮められている状態を表す平面図である。Ｆ  １に戻り、金属部７が接点６に近づき始める状態を表す平面図である。
【図３】ふいご５に圧を加える前段階の状態を表す正面図である。
【図４】本発明を実施するに当たっての回路図である。
【発明を実施するための形態】
【００３１】  以下に図面を参照しながら、本発明の実施形態について、ふいご５を圧縮するためにドアの右上に設置した突起１と、ふいご５を使った遅延スイッチ部を構成する２・ピンホール３・弁４・ふいご５・接点６・金属部７を平行させながら説明する。
【００３２】  ドアを開けることによってドアに取り付けた突起１の圧力がふいご５にかかり、弁４から一気にふいご内の空気が外部へ押し出されるために、ふいご５は縮むが、ドアが閉められたときに突起１はふいご５から離れ、弁４は閉じられるため、ふいご５の自然復元力により、ふいご５内は陰圧状態のままピンホール３より微量の外部空気を吸い込んで膨張する。
【００３３】  その際、弧を描くように圧力を加えることを目的とした回転バー２をふいご５の先端に固着させることで、ふいご５は弧の軌道を保ちながら収縮し、かつ膨張する。
【００３４】  ここまでにある程度の間隔をもってドアが何度か開閉されているので、膨張しようとするふいご５がたえず突起１によって押し縮められる状態、すなわち一人住まいの老人に異常が起きていない状態であり、従って警報機は作動しない。
【００３５】  そして、一人住まいの老人に異常が起きた場合、トイレのドアは一切開閉されることがなくなるため、ふいご５の自然復元力でふいご５の内部は陰圧であったとしても、弁４は閉じられたままであることから、ピンホール３から外部の空気が微量ずつ流入し続け、ふいご５はゆっくりと時間をかけて弧の軌道を保ちながら膨らみ、ふいご５の先端に設置した金属部７と接点６とが接触し、その結果、通電し、ブザー８と回転灯９が作動する。
【００３６】  一日で不定期にトイレが使用された場合でも、警報機におけるふいご５は膨張しようとする動きが、ドアを開けるたびに絶えず突起１によって阻止されて収縮し、弁４からふいご５にたまった空気がその都度押し出されるため、ふいご５は膨張しきれず、接点６と金属部７が接触することはない。よって警報機は作動しない。
【００３７】  電源は乾電池直列６ボルトで十分であるが、希望によってはＡＣ電源仕様に関しても問題はない。この発明品に関して代金を支払う者が一人住まいの老人なのか物件所有者なのかの問題が生ずるが、いずれにせよ対象が老人であることがほとんどと考えられるため、商品としては廉価で、かつ設置も特殊な技術を必要としない簡単なものである必要が生じる。
【００３８】  購入希望者の要求に答えて警報機部分は自動発信による電話への無線を利用することも可能であることから、家屋の外に取り付けたブザー８や回転灯９を機能させることに関しても内部配線を行わず、無線や赤外線で実践することも可能である。
【００３９】  電池使用の際のコードは大変細く、家屋の一部から外部にコードを引くことは容易であるし、室内の美観を損ねることもない。
【００４０】  一般的なふいごは内部にばねを包含しているが、スイッチのＯＮ・ＯＦＦに利用するだけであるから、ふいごの材質によって復元可能な場合、ばねは不要である。
【００４１】  動きが無いことに反応させるための時間を設定するには、生存可能時間と言われている７２時間以内である必要があり、一人住まいの老人の日々のトイレ使用状況を考慮して、２４、４８、７２時間などの選択ができることが望ましい。
【符号の説明】
【００４２】１    突起
２    回転バー
３    ピンホール
４    弁
５    ふいご
６    接点
７    金属部
８    ブザー
９    回転灯
１０  バッテリー
【図１】
2012150773.tif 000003
【図２】
2012150773.tif 000004
【図３】
2012150773.tif 000005
【図４】
2012150773.tif 000006
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
壁に対して回転軸を中心として回転可能に支持されたドアに設けられた突起と、
前記回転軸の近傍の前記壁に対して基端部が固定され且つ前記突起に対向して先端部が設けられたふいごであって、前記回転軸を中心とする弧を描きながら収縮または膨張可能に構成され、内部に前記ふいごを収縮または膨張させる弾性部材が収容されていない前記ふいごと、
前記回転軸を中心として回転可能に支持され且つ前記ふいごの先端部に連結されて、前記回転軸を中心とする径方向に延びる板状の回転バーと、
前記回転バーに支持され且つ前記回転軸を中心とする径方向に延びる導電性の金属部と、
前記突起と前記先端部との間に配置され、前記回転軸を中心とする径方向に離れて配置された複数の接点であって、前記ふいごが膨張した場合に前記金属部に接触可能な前記複数の接点と、
ふいごの内部に接続された逆止弁と、
を備え、極小ピンホールの開けられた、形状復元可能なふいごに、前記ドアの開放に伴って前記ドアの突起に前記先端部が押されることで圧を加えてふいご内の空気を前記逆止弁から押し出した後、ピンホールから少しずつ外部の空気が陰圧状態のふいご内に取り込まれることによって、ふいごの先端に取り付けた金属部が時間差をもって接点に触れ通電することを特徴とする警報機。
【手続補正２】
【補正対象書類名】明細書
【補正対象項目名】００２１
【補正方法】変更
【補正の内容】
【００２１】
そこで本発明の警報機は、
壁に対して回転軸を中心として回転可能に支持されたドアに設けられた突起１と、
前記回転軸の近傍の前記壁に対して基端部が固定され且つ前記突起１に対向して先端部が設けられたふいご５であって、前記回転軸を中心とする弧を描きながら収縮または膨張可能に構成され、内部に前記ふいご５を収縮または膨張させる弾性部材が収容されていない前記ふいご５と、
前記回転軸を中心として回転可能に支持され且つ前記ふいご５の先端部に連結されて、前記回転軸を中心とする径方向に延びる板状の回転バー２と、
前記回転バー２に支持され且つ前記回転軸を中心とする径方向に延びる導電性の金属部７と、
前記突起１と前記先端部との間に配置され、前記回転軸を中心とする径方向に離れて配置された複数の接点６であって、前記ふいご５が膨張した場合に前記金属部７に接触可能な前記複数の接点６と、
ふいご５の内部に接続された逆止弁４と、
を備え、極小ピンホール３の開けられた、形状復元可能なふいご５に、前記ドアの開放に伴って前記ドアの突起１に前記先端部が押されることで圧を加えてふいご５内の空気を前記逆止弁４から押し出した後、ピンホール３から少しずつ外部の空気が陰圧状態のふいご５内に取り込まれることによって、ふいご５の先端に取り付けた金属部７が時間差をもって接点６に触れ通電することを特徴とする。
【手続補正３】
【補正対象書類名】明細書
【補正対象項目名】００２２
【補正方法】削除
【補正の内容】
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
壁に対して回転軸を中心として回転可能に支持されたドアに設けられた突起と、
前記回転軸の近傍の前記壁に対して基端部が固定され且つ前記突起に対向して先端部が設けられたふいごであって、前記回転軸を中心とする弧を描きながら収縮または膨張可能に構成され、内部に前記ふいごを収縮または膨張させる弾性部材が収容されていない前記ふいごと、
前記回転軸を中心として回転可能に支持され且つ前記ふいごの先端部に連結されて、前記回転軸を中心とする径方向に延びる板状の回転バーと、
前記回転バーに支持され且つ前記回転軸を中心とする径方向に延びる導電性の金属部と、
前記突起と前記先端部との間に配置され、前記回転軸を中心とする径方向に離れて配置された複数の接点であって、前記ふいごが膨張した場合に前記金属部に接触可能な前記複数の接点と、
ふいごの内部に接続された逆止弁と、
を備え、極小ピンホールの開けられた、形状復元可能なふいごに、前記ドアの開放に伴って前記ドアの突起に前記先端部が押されることで圧を加えてふいご内の空気を前記逆止弁から押し出した後、ピンホールから少しずつ外部の空気が陰圧状態のふいご内に取り込まれることによって、ふいごの先端部に連結された回転バーに支持された金属部が時間差をもって接点に触れ通電することを特徴とする警報機。
【手続補正２】
【補正対象書類名】明細書
【補正対象項目名】００２１
【補正方法】変更
【補正の内容】
【００２１】
そこで本発明の警報機は、
壁に対して回転軸を中心として回転可能に支持されたドアに設けられた突起１と、
前記回転軸の近傍の前記壁に対して基端部が固定され且つ前記突起１に対向して先端部が設けられたふいご５であって、前記回転軸を中心とする弧を描きながら収縮または膨張可能に構成され、内部に前記ふいご５を収縮または膨張させる弾性部材が収容されていない前記ふいご５と、
前記回転軸を中心として回転可能に支持され且つ前記ふいご５の先端部に連結されて、前記回転軸を中心とする径方向に延びる板状の回転バー２と、
前記回転バー２に支持され且つ前記回転軸を中心とする径方向に延びる導電性の金属部７と、
前記突起１と前記先端部との間に配置され、前記回転軸を中心とする径方向に離れて配置された複数の接点６であって、前記ふいご５が膨張した場合に前記金属部７に接触可能な前記複数の接点６と、
ふいご５の内部に接続された逆止弁４と、
を備え、極小ピンホール３の開けられた、形状復元可能なふいご５に、前記ドアの開放に伴って前記ドアの突起１に前記先端部が押されることで圧を加えてふいご５内の空気を前記逆止弁４から押し出した後、ピンホール３から少しずつ外部の空気が陰圧状態のふいご５内に取り込まれることによって、ふいご５の先端部に連結された回転バー２に支持された金属部７が時間差をもって接点６に触れ通電することを特徴とする。